(57)【要約】【課題】  本体枠を別のものに取り替えることなく、１皿構造及び２皿構造のいずれの構造も形成することができる遊技機を提供すること。【解決手段】パチンコ遊技機１は、本体枠２と、本体枠２の前面に配設した打球供給皿３とを有してなる。本体枠２は、打球供給皿３に形成された球貯留部３１に遊技球８を払い出す払出装置４１と、払出装置４１から払い出される遊技球８を球貯留部３１へと導く払出通路５１とを備えている。払出通路５１には、これに開口する分岐口５１２を介して、パチンコ遊技機１の前面側に遊技球８を排出するための排出通路５２が接続されており、分岐口５１２には、これを開閉可能なシャッター部材６が配設されている。【選択図】図１
2005143831.tif 000002
【特許請求の範囲】
【請求項１】
本体枠と、該本体枠の前面に配設した打球供給皿とを有し、上記本体枠は、上記打球供給皿に形成された球貯留部に遊技球を払い出す払出装置と、該払出装置から払い出される遊技球を上記球貯留部へと導く払出通路とを備えてなる遊技機において、
上記払出通路には、上記遊技機の前面側に遊技球を排出するための排出通路が延設されており、該排出通路又は該排出通路と上記払出通路との間には、上記排出通路への遊技球の流下を制限するためのシャッター部材が移動可能に配設されていることを特徴とする遊技機。
【請求項２】
請求項１において、上記排出通路は、上記払出通路の側壁部に接続されており、上記シャッター部材は、上記排出通路と上記払出通路の側壁部との間に配設されていることを特徴とする遊技機。
【請求項３】
請求項１又は２において、上記シャッター部材は、上記排出通路を閉じる閉じ位置と、上記排出通路を開ける開け位置とに移動可能であると共に、上記閉じ位置と上記開け位置との間の中間位置に固定可能であることを特徴とする遊技機。
【請求項４】
請求項１〜３のいずれか一項において、上記遊技機の前面には、上記シャッター部材を移動させるための操作スイッチが配設されていることを特徴とする遊技機。
【請求項５】
請求項１〜４のいずれか一項において、上記払出通路内には、該払出通路内に遊技球が所定数以上充満されたことを検出する満タン検出スイッチが配設されていることを特徴とする遊技機。
【発明の詳細な説明】
【技術分野】
【０００１】
本発明は、パチンコ遊技機、アレンジボール遊技機又はじゃん球遊技機等の遊技機に関し、特に１皿構造及び２皿構造のいずれの構造も形成可能な遊技機に関する。
【背景技術】
【０００２】
例えば、パチンコ遊技機においては、遊技者のハンドル操作に応じて、本体枠に配設された遊技盤の遊技領域に遊技球を発射させてパチンコ遊技を行う。このパチンコ遊技機は、上記本体枠の前面に、遊技球を貯留するための球貯留部を備えた打球供給皿を配設してなる。また、本体枠には、所定数の遊技球を払出可能な払出装置と、この払出装置から上記球貯留部へと遊技球を導く払出通路とが設けられている。そして、上記遊技領域に配設した各種役物等に遊技球が入ったときには、上記払出装置を動作させて、上記球貯留部に、賞球としての所定数の遊技球を払い出している。
【０００３】
ところで、上記パチンコ遊技機においては、上記打球供給皿のみを用いて１皿構造を形成する場合と、打球供給皿（上皿）の下方に、これからオーバーフローした遊技球を受け取るための排出受皿（下皿）を配設して２皿構造を形成する場合とがある。
そして、１皿構造のパチンコ遊技機においては、上記打球供給皿の球貯留部に遊技球がほぼ満タンに貯留されたときには、パチンコ遊技を行う遊技者が、球貯留部の底部に配設された球抜きシャッターを操作して、球貯留部から運搬用球箱等に遊技球を排出している。
【０００４】
一方、２皿構造のパチンコ遊技機においては、例えば特許文献１に示されるように、上記本体枠に上記払出通路とは別のオーバーフロー通路を設けている。そして、このオーバーフロー通路を介して、打球供給皿の球貯留部内に入らなくなった遊技球を上記排出受皿へとオーバーフローさせ、排出受皿の底部に配設されたシャッターを操作して、排出受皿から運搬用球箱等に遊技球を排出している。
そのため、上記従来のパチンコ遊技機においては、１皿構造を形成するか、２皿構造を形成するかによって、上記本体枠にオーバーフロー通路を形成するか否かが異なっている。したがって、１皿構造又は２皿構造の各パチンコ遊技機に対して、別々に本体枠を準備する必要があった。
【０００５】
【特許文献１】特許第２５３０１６３号公報
【発明の開示】
【発明が解決しようとする課題】
【０００６】
本発明は、かかる従来の問題点に鑑みてなされたもので、本体枠を別のものに取り替えることなく、１皿構造及び２皿構造のいずれの構造も形成することができる遊技機を提供しようとするものである。
【課題を解決するための手段】
【０００７】
本発明は、本体枠と、該本体枠の前面に配設した打球供給皿とを有し、上記本体枠は、上記打球供給皿に形成された球貯留部に遊技球を払い出す払出装置と、該払出装置から払い出される遊技球を上記球貯留部へと導く払出通路とを備えてなる遊技機において、
上記払出通路には、上記遊技機の前面側に遊技球を排出するための排出通路が延設されており、該排出通路又は該排出通路と上記払出通路との間には、上記排出通路への遊技球の流下を制限するためのシャッター部材が移動可能に配設されていることを特徴とする遊技機にある（請求項１）。
【０００８】
本発明の遊技機は、上記打球供給皿を用いて１皿構造の遊技機を形成しており、上記シャッター部材を利用することにより、上記本体枠を別のものに取り替えることなく、２皿構造の遊技機も形成することができるものである。
すなわち、１皿構造の遊技機を形成した状態においては、上記シャッター部材により上記排出通路を閉じておくことにより、上記払出装置から払い出された遊技球が、排出通路の下流側へ流下してしまうことを阻止することができる。
【０００９】
そして、例えば、上記払出通路を流下する遊技球が球貯留部内を充満し、払出通路内に溢れ出したときには、上記シャッター部材を操作して上記排出通路を開けることができる。これにより、上記払出通路内に溢れ出した遊技球を、上記排出通路へと流下させることができ、上記遊技機の前面側から運搬用球箱等に排出することができる。また、上記排出通路を開けたときに、上記球貯留部内に遊技球が充満している状態においては、払出装置から払い出される遊技球を、直接上記排出通路へ向けて流下させることもできる。
こうして、上記１皿構造の遊技機を形成した際には、上記シャッター部材の操作により、上記球貯留部への遊技球の払出と、上記排出通路への遊技球の排出とを行うことができる。
【００１０】
一方で、本発明の遊技機においては、上記打球供給皿の下方に、上記排出通路から排出される遊技球を受け取る排出受皿を配設することにより、２皿構造の遊技機を形成することができる。この場合には、上記１皿構造の遊技機を形成する場合と同様に、上記球貯留部への遊技球の払出と上記排出受皿への遊技球の排出とを行うことができる。また、この場合には、上記シャッター部材を所定の位置で固定しておくこともでき、上記払出通路を流下する遊技球が球貯留部内を充満し、払出通路内に溢れ出したときには、この遊技球は、上記シャッター部材の上を乗り超えさせて上記排出受皿へと排出することもできる。
【００１１】
このように、上記２皿構造の遊技機は、上記１皿構造を形成するときの本体枠を用いて形成することができる。
それ故、本発明の遊技機においては、本体枠を別のものに取り替えることなく、１皿構造及び２皿構造のいずれの構造も形成することができる。
【発明を実施するための最良の形態】
【００１２】
上述した本発明の遊技機における好ましい実施の形態につき説明する。
本発明の遊技機においては、上記排出通路は、上記払出通路から分岐して延設することができる。この場合には、払出通路には、これに開口する分岐口を形成し、上記シャッター部材は、上記分岐口を開閉するよう排出通路と払出通路との間に移動可能に配設することができる。
【００１３】
また、上記シャッター部材を上記排出通路と上記払出通路との間に配設する場合には、このシャッター部材は、払出通路の内面を移動するよう配設することもできる。
また、上記排出通路は、上記球貯留部の一部を介して払出通路の先端部から延設することもできる。
【００１４】
また、上記１皿構造の遊技機を形成する際には、上記排出通路には遊技球を遊技機の前面側に排出するのを案内するための案内部材となる排出筒を配設し、上記２皿構造の遊技機を形成する際には、上記排出筒に代えて上記排出受皿を配設することができる。そして、２皿構造の遊技機を形成する際には、上記シャッター部材を移動させるために用いるソレノイド等のアクチュエータを取り外すことができる。
【００１５】
また、上記排出通路は、上記払出通路の側壁部に接続されており、上記シャッター部材は、上記排出通路と上記払出通路の側壁部との間に配設されていることが好ましい（請求項２）。
この場合には、遊技球の自重により上記シャッター部材に加わる球圧をできるだけ小さくすることができる。また、上記２皿構造の遊技機を形成し、上記シャッター部材を所定の位置に固定して使用するときには、遊技球をシャッター部材の上を乗り越えさせて上記排出通路に排出することが容易になる。
【００１６】
また、上記シャッター部材は、上記排出通路を閉じる閉じ位置と、上記排出通路を開ける開け位置とに移動可能であると共に、上記閉じ位置と上記開け位置との間の中間位置に固定可能であることが好ましい（請求項３）。
この場合には、上記１皿構造の遊技機を形成した際には、上記シャッター部材を上記閉じ位置に固定して上記球貯留部への遊技球の払出を行い、上記シャッター部材を上記開け位置に固定して上記排出通路への遊技球の排出を行うことができる。
【００１７】
一方で、上記２皿構造の遊技機を形成した際には、上記シャッター部材を上記中間位置に固定しておき、上記球貯留部への遊技球の払出を行うことができる。また、上記払出通路を流下する遊技球が球貯留部内を充満し、払出通路内に溢れ出したときには、この溢れ出した遊技球又は上記払出通路を流下する遊技球は、中間位置にあるシャッター部材の上を乗り越えさせて上記排出受皿へと排出することができる。
【００１８】
また、上記遊技機の前面には、上記シャッター部材を移動させるための操作スイッチが配設されていることが好ましい（請求項４）。
この場合には、例えば、上記操作スイッチを操作したときに、上記シャッター部材を移動させて上記排出通路を開け、上記払出通路内に溢れ出した遊技球又は上記払出通路を流下する遊技球を上記排出通路へと排出することができる。また、上記操作スイッチの操作を解放する又は上記操作スイッチを再び操作することにより、上記シャッター部材を移動させて上記排出通路を再び閉じることができる。
【００１９】
また、上記払出通路内には、該払出通路内に遊技球が所定数以上充満されたことを検出する満タン検出スイッチが配設されていることが好ましい（請求項５）。
この場合には、例えば、上記１皿構造の遊技機を形成したときには、上記満タン検出スイッチの検出信号を受けて、上記遊技機の前面側に配設した表示器又はブザー等を作動させて、上記払出通路内に遊技球が所定数以上充満していることを遊技者に知らせることができる。
また、例えば、上記２皿構造の遊技機を形成したときには、上記満タン検出スイッチの検出信号を受けて上記シャッター部材を移動させることにより上記排出通路を開け、この排出通路を介して上記排出受皿に遊技球を排出することができる。
【実施例】
【００２０】
以下に、図１〜図１２を用いて本発明の遊技機にかかる実施例につき説明する。
本例の遊技機はパチンコ遊技機１であり、このパチンコ遊技機１は、図１〜図４に示すごとく、本体枠２と、この本体枠２の前面に配設した打球供給皿３とを有してなる。上記本体枠２は、上記打球供給皿３に形成された球貯留部３１に遊技球８を払い出す払出装置４１（図９参照）と、この払出装置４１から払い出される遊技球８を上記球貯留部３１へと導く払出通路５１とを備えている。
そして、上記払出通路５１には、上記パチンコ遊技機１の前面側に遊技球８を排出するための排出通路５２が延設されており、この排出通路５２と上記払出通路５１との間には、排出通路５２への遊技球８の流下を制限するためのシャッター部材６が移動可能に配設されている。
以下に、これを詳説する。
【００２１】
上記パチンコ遊技機１は、図１〜図４に示すごとく、本体枠２に設けた発射装置４２（図８参照）に遊技球８を供給することができる上記打球供給皿３により、１皿構造のパチンコ遊技機１を形成している。そして、この１皿構造のパチンコ遊技機１を形成した状態においては、上記本体枠２の前面であって上記打球供給皿３の下方には、上記排出通路５２の先端部に形成された排出口５２１に接続されるようにして、遊技球８の流下を案内する案内部材としての排出筒３５が配設されている。
また、この１皿構造を形成した際には、上記シャッター部材６は、ソレノイド等のアクチュエータ６１を用いて上記排出通路５２を開閉させるよう上記本体枠２内に移動可能に配設されている。
【００２２】
一方で、上記パチンコ遊技機１は、図５〜図７に示すごとく、上記排出筒３５の代わりに上記排出通路５２から排出される遊技球８を受け取る排出受皿３６を配設して、上記本体枠２及び上記打球供給皿３を別のものに取り替えることなく、打球供給皿３と排出受皿３６とによる２皿構造のパチンコ遊技機１も形成することができる。また、本例では、この２皿構造を形成した際には、上記シャッター部材６を固定した状態で使用する。そのため、上記１皿構造を形成する際に用いる上記シャッター部材６を移動させるために用いるアクチュエータ６１は取り外すことができる。
【００２３】
パチンコ遊技機１は、図４、図７に示すごとく、外枠１０と、この外枠１０に対して開閉可能に配設した上記本体枠２と、この本体枠２の前面に配設され、本体枠２に対して開閉可能に配設されたガラス扉２０とを有している。
図８に示すごとく、上記本体枠２には、上記遊技盤２１に形成された遊技領域に向けて遊技球８を発射させる発射装置４２が配設されている。また、上記本体枠２の前面には、上記発射装置４２の発射強度を調節するための操作ハンドル２２が配設されている。
また、本例の打球供給皿３は、上記球貯留部３１、この球貯留部３１から遊技球８を流下させる各種通路及び装飾カバー等を有するユニットとして構成されており、本体枠２にビス、係合爪等によって固定配設されている。なお、打球供給皿３は、本体部２に対して開閉可能に配設することもできる。
【００２４】
また、図８に示すごとく、上記打球供給皿３は、上記遊技球８を貯留する球貯留部３１を有する以外にも、この球貯留部３１から上記発射装置４２へ遊技球８を導くための発射球供給通路３２と、この発射球供給通路３２に残された遊技球８を上記排出通路５２へと導く発射球抜出通路３３とを有している。そして、上記発射球供給通路３２を流下する遊技球８は、整流器４２１によって１つずつ発射装置４２へ送り出され、この発射装置４２から上記遊技盤２１に形成された遊技領域に向けて発射される。
【００２５】
また、上記払出通路５１の先端部に形成された払出口５１１は、上記打球供給皿３の球貯留部３１に開口している。また、上記排出通路５２の先端部に形成された排出口５２１は、上記本体枠２の前面側に向けて開口している。
また、上記打球供給皿３には、遊技球８が貸球装置（図示略）又は遊技者によって供給される球供給部３７が、上記球貯留部３１に隣接して形成されている（図４、図７参照）。
【００２６】
また、図８に示すごとく、上記発射球供給通路３２は、上記球貯留部３１内の下方部に開口しており、発射球供給通路３２と発射球抜出通路３３とが連通する連通部３４には、球抜きシャッター３４１が移動可能に配設されている。そして、この球抜きシャッター３４１を移動させて上記連通部３４を開けることにより、球貯留部３１内及び発射球供給通路３２内に残された遊技球８は、発射球抜出通路３３を介して上記排出通路５２へと排出することができる。
【００２７】
また、図９に示すごとく、上記本体枠２において、上記払出装置４１の上方には、遊技球８を貯留する球タンク５３と、この球タンク５３から流下した遊技球８を整列して上記払出装置４１に送るためのタンクレール５４とが配設されている。なお、図９は、パチンコ遊技機１を裏面側から見た状態で示す説明図である。
【００２８】
また、図９に示すごとく、上記払出通路５１は、上記払出装置４１の直下方向に遊技球８を流下させるための直下通路部５１３と、この直下通路部５１３の下端から曲折して形成された曲折通路部５１４とを有している。また、本例の曲折通路部５１４は、パチンコ遊技機１の左右方向及び前後方向に曲折している。なお、曲折通路部５１４は、パチンコ遊技機１の前後方向にのみ曲折する構造とすることもできる。
そして、図１、図２、図５に示すごとく、本例の排出通路５２は、上記払出通路５１における曲折通路部５１４の側壁部に開口しており、上記シャッター部材６は、上記側壁部に形成された分岐口５１２を開閉するようスライド可能に排出通路５２と払出通路５１との間に配設されている。
【００２９】
また、図４、図７に示すごとく、上記打球供給皿３の前面には、上記シャッター部材６を移動させるための第１操作スイッチ７１と、上記球抜きシャッター３４１を移動させるための第２操作スイッチ７２とが配設されている。そして、上記本体枠２には、上記第１操作スイッチ７１からの検出信号を受け取り、上記シャッター部材６を移動させることができる制御装置（図示略）が配設されている。
【００３０】
上記シャッター部材６は、上記１皿構造のパチンコ遊技機１を形成した際には、上記第１操作スイッチ７１からの検出信号を受け取って、図２、図３に示すごとく、上記分岐口５１２を閉じる閉じ位置６０１と、図１に示すごとく、上記分岐口５１２を開ける開け位置６０２とに移動可能にし、これらの位置に固定することができる。
【００３１】
また、本例の第１操作スイッチ７１は、電気的に動作するものであり、上記制御装置に検出信号を送信するものである。また、本例のシャッター部材６は、第１操作スイッチ７１からの検出信号を受ける毎に、閉じ位置６０１と開け位置６０２とに交互に移動するよう構成されている。
なお、シャッター部材６は、第１操作スイッチ７１からの検出信号を受けている間だけ上記閉じ位置６０１から開け位置６０２に移動するよう構成することもできる。また、上記第２操作スイッチ７２は、機械的に動作するものとすることができる。
【００３２】
また、図３、図１０に示すごとく、上記シャッター部材６と上記排出通路５２とは、１つのシャッターユニット６０として、上記本体枠２に配設されている。これにより、シャッター部材６及び排出通路５２のメンテナンスが容易であり、シャッターユニット６０として本体枠２に対して取り替えることも容易である。
【００３３】
また、本例においては、上記シャッター部材６は、図５、図６に示すごとく、上記２皿構造のパチンコ遊技機１を形成した際には、上記閉じ位置６０１と開け位置６０２との間の中間位置６０３に固定させておく。この２皿構造を形成した状態においては、上記払出通路５１を流下する遊技球８がシャッター部材６によってガイドされて上記打球供給皿３の球貯留部３１内に導かれる。そして、上記打球供給皿３の球貯留部３１内に遊技球８が充満し、遊技球８が払出通路５１内に溢れ出したときには、この遊技球８は、上記シャッター部材６の上を乗り超えさせて上記排出通路５２及び上記排出受皿３６へと排出することができる。
【００３４】
また、図９に示すごとく、上記払出通路５１における直下通路部５１３内には、払出通路５１内に遊技球８が所定数以上充満されたことを検出する満タン検出スイッチ７３が配設されている。
そして、上記１皿構造及び２皿構造のいずれのパチンコ遊技機１を形成した際にも、上記満タン検出スイッチ７３の検出信号を受けて、上記制御装置は、上記本体枠２の前面に配設した表示器又はブザー等（図示略）を作動させて、上記払出通路５１内に遊技球８が所定数以上充満していることをパチンコ遊技を行う遊技者に知らせることができる。
【００３５】
なお、本例では、上記２皿構造のパチンコ遊技機１を形成した際には、上記シャッター部材６は上記中間位置６０３に固定し、動かない状態にした。これに対し、上記２皿構造のパチンコ遊技機１を形成した際にも、上記シャッター部材６を上記閉じ位置６０１と上記開け位置６０２との間に移動可能にしておくこともできる。そして、この場合には、上記シャッター部材６は、上記満タン検出スイッチ７３からの検出信号を受け取って、上記閉じ位置６０１から開け位置６０２に移動するよう構成することができる。
【００３６】
次に、上記パチンコ遊技機１の動作及び作用効果につき説明する。
本例のパチンコ遊技機１により１皿構造を形成した状態においては、図２〜図４に示すごとく、上記シャッター部材６を上記閉じ位置６０１に固定しておき、このシャッター部材６により上記分岐口５１２を閉じておく。そして、遊技者がパチンコ遊技を開始し、上記操作ハンドル２２を操作して上記発射装置４２における遊技球８の発射強度を調節したときには、上記遊技盤２１の遊技領域に向けて遊技球８が発射される。このとき、上記打球供給皿３の球貯留部３１内に貯留された遊技球８は、上記発射球供給通路３２及び整流器４２１を通って上記発射装置４２へと１つずつ供給される。
【００３７】
そして、上記発射装置４２から発射した遊技球８が上記遊技領域内に配設された各種役物等（図示略）の入口に入ると、上記払出装置４１が作動し賞球としての所定数の遊技球８を上記払出通路５１に向けて払い出す。この払出通路５１に払い出された遊技球８は、上記シャッター部材６によって排出通路５２への排出が阻止された状態で、上記打球供給皿３の球貯留部３１内に流下する。
【００３８】
その後、打球供給皿３の球貯留部３１内に遊技球８が充満し、払出通路５１から流下する遊技球８が球貯留部３１内に入らなくなったときには、遊技球８は払出通路５１の曲折通路部５１４から直下通路部５１３に向けて残留していく（溢れ出していく）。そして、直下通路部５１３内に残留した遊技球８により、この直下通路部５１３内に配設された満タン検出スイッチ７３が押されると、上記本体枠２の前面に配設した表示器又はブザー等が作動する。また、このとき、上記払出装置４１によって遊技球８の払出が行われているときには、この払出が一旦中断される。
【００３９】
上記表示器又はブザー等の作動により、遊技者は、上記直下通路部５１３内にまで遊技球８が残留していることを認知し、上記打球供給皿３の前面に配設した第１操作スイッチ７１を操作する。このとき、図１に示すごとく、上記制御装置は、第１操作スイッチ７１からの検出信号を受けて上記アクチュエータ６１を操作し、上記シャッター部材６を上記閉じ位置６０１から上記開け位置６０２に移動させる。
【００４０】
こうして、上記分岐口５１２を開けることができ、上記払出通路５１内に残留する遊技球８は、分岐口５１２から上記排出通路５２及び排出筒３５へと流下させ、排出筒３５の下方に配置した運搬用球箱等に排出することができる。
また、分岐口５１２を開けたときに、球貯留部３１内に遊技球８が充満している状態においては、上記払出装置４１から払出通路５１に払い出される遊技球８は、分岐口５１２を介して排出通路５２及び排出筒３５へと直接流下させることもできる。
【００４１】
その後、上記打球供給皿３の球貯留部３１内に貯留された遊技球８の数が減っていったときには、遊技者は、上記第１操作スイッチ７１を再び操作する。このとき、制御装置は、上記シャッター部材６を上記開け位置６０２から閉じ位置６０１へと移動させる。そして、上記分岐口５１２が閉じられて、払出通路５１を流下する遊技球８が再び上記球貯留部３１内に導かれる状態が形成される。以降、必要に応じて遊技者が第１操作スイッチ７１を操作することにより、上記と同様にシャッター部材６の移動動作が行われる。
こうして、上記１皿構造のパチンコ遊技機１を形成した際には、上記シャッター部材６の移動動作により、上記球貯留部３１への遊技球８の払出と、上記排出通路５２への遊技球８の排出とを行うことができる。
【００４２】
一方で、本例のパチンコ遊技機１においては、図５〜図７に示すごとく、上記打球供給皿３の下方に、上記排出通路５２から排出される遊技球８を受け取る排出受皿３６を配設することにより、打球供給皿３と排出受皿３６とによる２皿構造のパチンコ遊技機１を形成することができる。そのため、上記２皿構造のパチンコ遊技機１は、上記１皿構造を形成するときの本体枠２と打球供給皿３とを用いて形成することができる。
それ故、本例のパチンコ遊技機１においては、本体枠２及び打球供給皿３を別のものに取り替えることなく、１皿構造及び２皿構造のいずれの構造も形成することができる。
【００４３】
なお、上記打球供給皿３は、１皿構造のパチンコ遊技機１と２皿構造のパチンコ遊技機１とに対してそれぞれ別のものを準備しておくこともできる。
また、上記１皿構造及び２皿構造のいずれの構造においても、遊技者がパチンコ遊技を終了する際には、上記第２操作スイッチ７２を操作することにより、上記打球供給皿３の球貯留部３１に残留した遊技球８は、上記発射球抜出通路３３を介して、上記排出通路５２へと排出することができる。
また、上記２皿構造のパチンコ遊技機１において、上記排出受皿３６に貯留された遊技球８を運搬用球箱等に排出するときには、図５、図７に示すごとく、排出受皿３６の底部に配設した排出シャッター３６１を開けて排出することができる。
【００４４】
また、図１１、図１２に示すごとく、上記排出筒３５は、上記打球供給皿３と一体的に構成することもできる。この場合には、１皿構造のパチンコ遊技機１を形成する際に用いる打球供給皿３と、２皿構造のパチンコ遊技機１を形成する際に用いる打球供給皿３とが別のものになるが、上記本体枠２をそれぞれのパチンコ遊技機１に対して共通して用いることができる。
【００４５】
また、図示は省略するが、上記分岐口５１２は、上記払出通路５１の曲折通路部５１４の底部に形成することもできる。この場合には、払出通路５１の曲折通路部５１４に、上記直下通路部５１３からの遊技球８の流下を受ける受台を配設し、上記分岐口５１２及びシャッター部材６を上記受台の下方に形成することができる。そして、払出通路５１内を流下する遊技球８は、上記受台の上を流下させた後、上記打球供給皿３の球貯留部３１に払い出すことができる。
【図面の簡単な説明】
【００４６】
【図１】実施例における、１皿構造を形成したパチンコ遊技機の要部を側方から見た状態で示す図で、シャッター部材が開き位置にある状態を示す断面説明図。
【図２】実施例における、１皿構造を形成したパチンコ遊技機の要部を側方から見た状態で示す図で、シャッター部材が閉じ位置にある状態を示す断面説明図。
【図３】実施例における、１皿構造を形成したパチンコ遊技機の要部を裏面側から見た状態で示す断面説明図。
【図４】実施例における、１皿構造を形成したパチンコ遊技機を示す斜視図。
【図５】実施例における、２皿構造を形成したパチンコ遊技機の要部を側方から見た状態で示す図で、シャッター部材が中間位置にある状態を示す断面説明図。
【図６】実施例における、２皿構造を形成したパチンコ遊技機の要部を裏面側から見た状態で示す断面説明図。
【図７】実施例における、２皿構造を形成したパチンコ遊技機を示す斜視図。
【図８】実施例における、パチンコ遊技機の要部を前面側から見た状態で示す断面説明図。
【図９】実施例における、パチンコ遊技機を裏面側から見た状態で示す断面説明図。
【図１０】実施例における、シャッターユニットを示す説明図。
【図１１】実施例における、１皿構造を形成し、排出筒を一体的に備えた打球供給皿を有するパチンコ遊技機の要部を側方から見た状態で示す断面説明図。
【図１２】実施例における、１皿構造を形成し、排出筒を一体的に備えた打球供給皿を有するパチンコ遊技機を示す斜視図。
【符号の説明】
【００４７】
１  パチンコ遊技機
２  本体枠
３  打球供給皿
３１  球貯留部
３５  排出筒
３６  排出受皿
４１  払出装置
５１  払出通路
５１１  払出口
５１２  分岐口
５１３  直下通路部
５１４  曲折通路部
５２  排出通路
５２１  排出口
６  シャッター部材
６０１  閉じ位置
６０２  開け位置
６０３  中間位置
７１  第１操作スイッチ
７２  第２操作スイッチ
７３  満タン検出スイッチ
８  遊技球
【図１】
2005143831.tif 000003
【図２】
2005143831.tif 000004
【図３】
2005143831.tif 000005
【図４】
2005143831.tif 000006
【図５】
2005143831.tif 000007
【図６】
2005143831.tif 000008
【図７】
2005143831.tif 000009
【図８】
2005143831.tif 000010
【図９】
2005143831.tif 000011
【図１０】
2005143831.tif 000012
【図１１】
2005143831.tif 000013
【図１２】
2005143831.tif 000014